(57)【要約】【課題】  装置を大型にすることなく多機能画像形成装置を実現する。【解決手段】  画像形成装置が本来備える現像剤を収納する第１の現像剤容器を装着する第１の装着部と、前記第１現像剤容器に収納される現像剤とは別の現像剤を収納する第２の現像剤容器を装着する第２の装着部とを備える。第２の現像剤容器に収納される現像剤は、蓄光トナー、蛍光トナー、透明トナー、白トナー、黒トナー、イエロートナー、マゼンタトナーまたはシアントナーである。【選択図】  図１
2007057703.tif 000002
【特許請求の範囲】
【請求項１】
画像形成装置が本来備える現像剤を収納する第１の現像剤容器を装着する第１の装着部と、
前記第１の現像剤容器に収納される現像剤とは別の現像剤を収納する第２の現像剤容器を装着する第２の装着部と
を備えることを特徴とする画像形成装置。
【請求項２】
前記第１の装着部は、記録用紙の移動方向に対して前記第２の装着部より上流側に配置したことを特徴とする請求項１に記載の画像形成装置。
【請求項３】
前記第２の現像剤容器に収納される現像剤は、蓄光トナー、蛍光トナー、透明トナー、白トナー、黒トナー、イエロートナー、マゼンタトナーまたはシアントナーを含むことを特徴とする請求項１または２に記載の画像形成装置。
【請求項４】
前記第２の現像剤容器に備えられ、前記第２現像剤容器に収納している現像剤に係る情報を記憶する現像剤情報記憶部と、
前記第２装着部に備えられ、前記現像剤情報記憶部に記憶されている現像剤に係る情報を取得する情報取得部と、
前記情報取得部が取得した情報に基づき現像処理を実行する現像処理部と
を備えることを特徴とする請求項１乃至３のいずれか１項に記載の画像形成装置。
【請求項５】
前記現像剤情報記憶部は、ＩＣチップ、ＩＣタグ、バーコード、２次元コードまたは磁気記録よりなることを特徴とする請求項４に記載の画像形成装置。
【請求項６】
前記情報処理部は、画像形成装置に予め設定された現像剤を収納する第２の現像剤容器が装着されたときは正常動作させ、画像形成装置に予め設定されていない現像剤を収納する第２の現像剤容器が装着されたときは動作停止させることを特徴とする請求項１乃至５に記載の画像形成装置。
【請求項７】
前記情報処理部は、前記正常動作または動作停止を表示する表示部を更に備えることを特徴とする請求項６に記載の画像形成装置。
【請求項８】
前記動作停止は、感光体への感光動作を停止させることにより行うことを特徴とする請求項６または７に記載の画像形成装置。
【発明の詳細な説明】
【技術分野】
【０００１】
本発明は異なる現像剤を交換することができる画像形成装置に関する。
【背景技術】
【０００２】
複写機、プリンター、ファクシミリのような画像形成装置は、原稿を複写し、または印刷するために電子写真方式またはインクジェット噴射方式により現像剤を使用して、画像情報を可視化する。現像剤は複写し、または印刷するに従い、消耗するので、補充できる構造になっている。モノクロ画像形成装置、カラー画像形成装置は、画像形成装置が本来備える現像剤を収納する現像剤容器を装着する箇所は予め定められ、それ以外の箇所に装着すると、画像形成装置が誤動作し、故障する原因となる。このため画像形成装置は、現像剤を補充する場合、所定の箇所に現像剤容器を装着するようになっている。特にカラー機は現像剤が４種類から６種類もあり、それぞれ現像剤は色を重ね合わせる順序が決められているので、現像剤容器の装着場所を間違えないよう、また異なる場所に装着できないよう、現像剤容器および画像形成装置の現像剤装着部の構造を工夫している。
【０００３】
一方、不正複写を防止し、セキュリティ機能を高めるために複写時または印刷時に透かしを入れる技術や、人間の目では見えないくらいの小さい文字、記号を印字する技術や複写画像、印刷画像に抗菌効果や脱臭効果のような特殊効果を付与する技術が知られている。
特許文献１は、有価証券の偽造を防止するため、同一波長の紫外線照射により互いに異なる可視光を発光する蛍光物質を含むトナーを使用する印字装置を開示している。特許文献２は、偽造防止、改竄防止するため、蓄光トナーを用いて画像、文字、マークを印字する電子写真方式を開示している。特許文献３は、磁性蛍光トナーを使用して多色画像形成とＭＩＣＲフォントの印刷を同一画像形成装置で可能にし、高度なセキュリティ機能を有する技術を開示している。また特許文献４は、抗菌剤、紫外線遮蔽剤、防汚剤、脱臭剤の少なくとも１つを含む透明トナーを使用する画像形成装置を開示し、抗菌効果、紫外線遮蔽効果、防汚効果、脱臭効果のような効果を得ている。
【特許文献１】特開２００２−３５１２１６号公報
【特許文献２】特開２００４−６１９７５号公報
【特許文献３】特開２００２−８２５８２号公報
【特許文献４】特開２００３−２４１４１４号公報
【発明の開示】
【発明が解決しようとする課題】
【０００４】
特許文献１〜４により、透明トナー、蛍光トナー、蓄光トナー、磁性蛍光トナーを使用してセキュリティ機能を向上し、あるいは複写画像、印刷画像に特別機能を持たせることができる。しかし、特許文献１〜４の画像形成装置または印字装置は、いずれも１つのトナーしか使用できない。したがって使用するトナーの種類によりセキュリティの方法あるいは画像形成装置が有する特別機能は決められ、画像形成装置を多機能にできない。画像形成装置を多機能化するために現像剤の種類を増やし、現像剤の装着部を増やすことが考えられるが、多種類の現像剤を装着するため装着部を増やす場合は、画像形成装置を大型にする。
本発明は、以上のような課題に鑑みて、装置を大型にすることなく多機能画像形成装置を実現するものである。
【課題を解決するための手段】
【０００５】
本発明の画像形成装置は、画像形成装置が本来備える現像剤を収納する第１の現像剤容器を装着する第１の装着部と、前記第１の現像剤容器に収納される現像剤とは別の現像剤を収納する第２の現像剤容器を装着する第２の装着部とを備えることにより、前記課題を解決する。
また本発明の画像形成装置は、前記第１の装着部を記録用紙の移動方向に対して前記第２の装着部より上流側に配置するとよい。
また本発明の画像形成装置は、前記第２の現像剤容器に収納される現像剤が蓄光トナー、蛍光トナー、透明トナー、白トナー、黒トナー、イエロートナー、マゼンタトナーまたはシアントナーを含むことが好ましい。勿論この他のトナーを第２の現像剤容器に収納することが可能である。
【０００６】
また本発明の画像形成装置は、前記第２の現像剤容器に備えられ、前記第２現像剤容器に収納している現像剤に係る情報を記憶する現像剤情報記憶部と、前記第２装着部に備えられ、前記現像剤情報記憶部に記憶されている現像剤に係る情報を取得する情報取得部と、前記情報取得部が取得した情報に基づき現像処理を実行する情報処理部とを備えることを特徴とする。
また本発明の画像形成装置は、前記現像剤情報記憶部がＩＣチップ、ＩＣタグ、バーコード、２次元コードまたは磁気記録よりなることが望ましい。
また本発明の画像形成装置は、前記情報処理部が画像形成装置に予め設定された現像剤を収納する第２の現像剤容器が装着されたときは正常動作させ、画像形成装置に予め設定されていない現像剤を収納する第２の現像剤容器が装着されたときは動作停止させることが望ましい。
また本発明の画像形成装置は、前記情報処理部が前記正常動作または動作停止を表示する表示部を更に備えることが望ましい。
また本発明の画像形成装置は、前記動作停止を感光体への感光動作を停止させることにより行うものである。
【発明の効果】
【０００７】
本発明の画像形成装置は、画像形成装置が本来備える現像剤とは別の現像剤を収納する第２の現像剤容器を装着するので、多機能画像形成装置を実現することができる。
また本発明の画像形成装置は、前記第１の装着部を記録用紙の移動方向に対して前記第２の装着部より上流側に配置するので、複写画像または印字画像の色バランスを崩さない。
また本発明の画像形成装置は、前記第２の現像剤容器に収納される現像剤が蓄光トナー、蛍光トナー、透明トナー、白トナー、黒トナー、イエロートナー、マゼンタトナーまたはシアントナーを含むので、画像形成装置を大型にしないで多機能画像形成装置を実現する。
特に、第２の現像剤容器に収納される現像剤が蓄光トナーまたは蛍光トナーである場合は、複写画像または印刷画像に蓄光部分、蛍光部分を形成することができる。また蓄光トナー、蛍光トナーを全面的または部分的形成することによりオリジナルの複写画像、印刷画像であることを明確にすることができ、セキュリティ機能を高めることができる。また第２の現像剤容器に収納される現像剤が透明トナーである場合は、複写画像または印刷画像の表面を光沢処理することができる。また透明トナー全面的または部分的形成することによりオリジナルの複写画像、印刷画像であることを明確にし、セキュリティ機能を付与することができる。また第２の現像剤容器に収納される現像剤が白トナーである場合は、複写画像または印刷画像にハイライト部分を形成することができる。また白トナー全面的または部分的形成することによりオリジナルの複写画像、印刷画像であることを明確にすることができる。また第２の現像剤容器に収納される現像剤が黒トナーである場合は、複写画像または印刷画像のコントラストを高くし、縁取りを形成することができる。また黒トナーを装着することにより画像形成装置の予備トナーとして使用することができる。更に本発明は、イエロートナー、マゼンタトナーまたはシアントナーを第２の現像剤容器に収納して装着することにより、画像形成装置の予備トナーとして使用することができる。
【０００８】
また本発明の画像形成装置は、第２の現像剤容器に収納している現像剤に係る情報を記憶する現像剤情報記憶部と、この現像剤情報記憶部に記憶されている現像剤に係る情報を取得する情報取得部を備えるので、画像形成装置が複写または印字動作を開始する前に現像剤の種類を知ることができる。したがって、画像形成装置に予め設定された現像剤を収納する現像剤容器が装着されたときは、画像形成装置を正常動作させ、正常であることを表示する。しかし画像形成装置に予め設定されていない現像剤を収納する現像剤容器が装着されたときは、画像形成装置を動作停止させるので、画像形成装置が故障するのを防止することができる。また前記動作停止は感光体への感光動作を停止させることにより行うので、ユーザの希望通りではないが、カラー画像またはモノクロ画像を複写または印字することができる。また予め設定された現像剤でないことを表示するので、ユーザに正しい現像剤を装着させることができる。
また本発明の画像形成装置は、前記現像剤情報記憶部がＩＣチップ、ＩＣタグ、バーコード、２次元コードまたは磁気記録よりなるので、微弱電波、可視光、赤外光、磁気を使用して非接触で情報を取得することができる。
【発明を実施するための最良の形態】
【０００９】
本発明の画像形成装置は、図１に示すように構成される。
図１に示す画像形成装置１００はカラー機であり、外部から伝達された画像データに応じて、所定のシート（以下、記録用紙と言う）に対して多色および単色の画像を形成する。記録用紙は、無機または有機繊維からなる織布、不織布、マット、紙あるいはこれらを組合せたものである。図１の画像形成装置は、カラー画像形成のために画像形成装置が本来備える４色の現像器と、本発明のために１つの現像器を備え、タンデム型５連現像器を構成する。各現像器は、露光ユニット１、現像剤容器２、感光体ドラム３、クリーナユニット４、帯電器５および図示しないが、現像剤容器を装着するための装着部により構成される。
露光ユニット１は、発光素子をアレイ状に並べた例えばＥＬやＬＥＤ書込みヘッドや、レーザ照射部および反射ミラーを備えた、レーザスキャニングユニット（ＬＳＵ）を用いる。露光ユニット１は入力された画像データに応じて、感光体ドラム３を露光し、感光体ドラム３の表面に、画像データに応じた静電潜像を形成する。
現像剤容器２はそれぞれの感光体ドラム上に形成された静電潜像を現像剤により顕像化する。クリーナユニット４は、現像・画像転写後における感光体ドラム上の表面に残留したトナーを、除去・回収する。帯電器５は、感光体ドラムの表面を所定の電位に均一に帯電させるための帯電手段であり、図１に示すようにチャージャー型の帯電器が用いられる。帯電器は接触型のローラ型やブラシ型でもよい。
【００１０】
ここで５連現像器は、例えばカラー画像形成装置固有の現像器として、イエロー（Ｙ）トナー、マゼンタ（Ｍ）トナー、シアン（Ｃ）トナー、ブラック（Ｋ）トナーのための４つの現像器と、本発明のための１つの現像器を合わせて指す。上記４つの現像器は、現像剤容器を装着するため、それぞれ装着部(図示しない)を有し、これを請求項では第１の装着部と称している。また上記１つの現像器は、現像剤容器を装着するための装着部を有し、これを請求項では第２の装着部(図示しない)と称している。カラー画像形成装置が本来備える４つの現像剤は、記録用紙の移動方向に対して、順番が定められており、記録用紙の移動方向の上流側より順に、イエロートナー、マゼンタトナー、シアントナー、ブラックトナーが配置される。カラー画像形成装置が本来備える現像剤には、最小限シアン（Ｃ）トナー、マゼンタ（Ｍ）トナー、イエロー（Ｙ）トナーの３色が必要であり、通常はこの３色にブラック（Ｋ）トナーを加えて４色として、４つの現像器を使用する。この他にライトシアントナー、ライトマゼンタトナーを含め６色としてもよい。図１には５連現像器にａ〜ｅを添え字して表示している。添え字ａがイエロー、添え字ｂがマゼンタ、添え字ｃシアンが、添え字ｄがブラックを示す。さらに添え字ｅは、本発明のための現像器を示す。
【００１１】
本発明のための現像剤は、蓄光トナー、蛍光トナー、透明トナー、白トナー、黒トナー、もしくはイエロートナー、マゼンタトナーまたはシアントナーを含み、さらにライトシアントナー、ライトマゼンタトナーを含めてもよい。またこれら以外のトナーであってもよい。これらトナーのいずれか１つが現像剤容器に収納される。蓄光トナーまたは蛍光トナーは、複写画像または印刷画像に蓄光部分、蛍光部分を形成し、または蓄光トナー、蛍光トナーを全面的または部分的形成することによりセキュリティ機能を高める。また透明トナーは、複写画像または印刷画像の表面を光沢処理し、または透明トナー全面的または部分的形成することによりセキュリティ機能を高める。また白トナーは、複写画像または印刷画像にハイライト部分を形成し、あるいは下地もしくは階調性向上させ、または白トナー全面的または部分的形成してセキュリティ機能を高める。また黒トナーは、複写画像または印刷画像のコントラストを高くし、縁取りを形成し、または黒トナーを画像形成装置の予備トナーとして使用し、画像形成装置のモノクロ印刷におけるコピーボリュウムを倍増することができる。または2つの黒トナー作像プロセスを同期併用することにより印刷速度を倍増することが可能となる。更にイエロートナー、マゼンタトナーまたはシアントナーは、特定色のトナーの使用が顕著な使用状態において、画像形成装置の予備トナーとして使用することができる。
本発明は上記のように多種類のトナーを使用することができるので、多種類のトナーを間違えないようにするために、表示ラベル、現像剤容器の色などで明確に識別できるように配慮する。また、トナーの種類に応じて現像剤容器の形状を変化させ、これに対応して画像形成装置の第２の装着部の形状を変化させてもよい。したがって、ユーザが希望のトナーを選択すると、その選択に合わせた第２の装着部を設置する。これによりユーザは所望のトナーを収納する現像剤容器を第２の装着部に装着することができる。
【００１２】
５連現像器に対向して転写搬送ベルトユニット６が配置される。転写搬送ベルトユニット６は、転写ベルト駆動ローラ７、転写ベルト８、転写ローラ９(９ａ、９ｂ、９ｃ、９ｄ、９ｅ)、転写ベルト従動ローラ１０、転写ベルトテンションローラ１１、１２、転写ベルトクリーニングユニット１３を備える。転写ベルト駆動ローラ７は、転写ローラ９、転写ベルト従動ローラ１０、転写ベルトテンションローラ１１、１２が転写ベルト８を張架し、転写ベルト８を矢印Ｂで示すように反時計方向に回転駆動させる。
転写ローラ９は、転写搬送ベルトユニット６のハウジング１４の転写ローラ取付部(図示しない)に回転可能に支持され、転写ローラ９ａ、９ｂ、９ｃ、９ｄ、９ｅは、感光体ドラム３ａ、３ｂ、３ｃ、３ｄ、３ｅにそれぞれ対向するように配置される。転写ローラ９は、感光体ドラム３の表面に形成されたトナー像を、転写ベルト８上に吸着されて搬送される記録用紙に転写するため、転写バイアスを与える。転写ローラ９に印加させる転写バイアスは、通常トナーの帯電極性がマイナス（−）であるので、転写ローラ９はトナーの帯電極性とは逆極性のプラス（＋）の高電圧に帯電させる。転写ローラ９は、直径８〜１０ｍｍの金属（例えばステンレス）軸をベースとし、その表面は、導電性の弾性材（例えばＥＰＤＭ，発泡ウレタン等）により覆われているローラである。この導電性の弾性材により、記録用紙に対して均一に高電圧を印加することができる。本実施例では転写電極として転写ローラ７を使用しているが、それ以外にブラシなども用いられる。
【００１３】
転写ベルト８は、それぞれの感光体ドラム３に一部接触するように設けられ、感光体ドラム３に形成された各色のトナー像を記録用紙に順次的に重ねて転写するように、記録用紙を移動させることによって、カラーのトナー像（多色トナー像）を形成する。この転写ベルト８は、厚さ１００μｍ〜１５０μｍ程度のフィルムを用いて無端状に形成されている。
【００１４】
転写ベルトクリーニングユニット１３は、感光体ドラム３との接触により転写ベルト９に付着したトナーが記録紙の裏面を汚す原因となるために、これを除去・回収されるように設定されている。転写ベルトクリーニングユニット１３には、転写ベルト８に接触するクリーニング部材として、例えばクリーニングブレード１５が備えられており、クリーニングブレード１５が接触する転写ベルト８は、裏側から転写ベルトテンションローラ１２で押圧されている。
【００１５】
画像形成装置は、５連現像器に対して、記録用紙の入口側に給紙トレイ２１、用紙搬送路２２を備える。給紙トレイ２１は、画像形成に使用する記録用紙を蓄積しておくためのトレイである。給紙トレイ２１は画像形成装置１００の下側に設けられている給紙トレイ収納部２０に出し入れ可能に収納される。用紙搬送路２２は、用紙供給搬送路２２ａと、
転写搬送ベルトユニット１３と、用紙排出搬送路２２ｂとからなり、全体としてほぼ横向きのＳ字形状を形成する。
給紙トレ２１と用紙供給搬送路２２ａの間にピックアップローラ２３が配置され、給紙トレイ１１から記録用紙を１枚ずつ用紙供給搬送路２２ａに供給する。ピックアップローラ２３は給紙トレイ２１の端部に配置され、呼び込みローラ２４を備える。
また用紙供給搬送路２２ａと転写搬送ベルトユニット６の間にレジストローラ２５が配置される。このレジストローラ２５は搬送されてくる記録用紙をいったん保持し、感光体ドラム３上のトナー像を記録用紙に良好に多重転写できるように、感光体ドラム３の回転にあわせて、記録用紙をタイミングよく搬送する機能を有している。すなわち、レジストローラ２５は、図示しないレジスト前検知スイッチの出力した検知信号に基づいて、各感光体ドラム３上のトナー像の先端を記録用紙における画像形成範囲の先端に合わせるように、記録用紙を搬送する。
【００１６】
画像形成装置は、５連現像器に対して、記録用紙の出口側にヒートローラ２６と加圧ローラ２７からなる定着部２８を備え、記録用紙を挟んで回転する。このヒートローラ２６は、ヒートローラ２６の近傍に配置した温度検出器からの信号に基づいて制御部によって所定の定着温度となるように設定されている。ヒートローラ２６は加圧ローラ２７とともに記録用紙を熱圧着することにより、記録用紙に転写された多色トナー像を溶融・混合・圧接し、記録用紙に対して熱定着させる。
定着部２８の後方に用紙排出搬送路２２ｂ、排紙トレイ２９を備える。排紙トレイ２９は、画像形成装置の上部カバー３０に形成され、画像形成済みの記録用紙をフェイスダウンで受取るためのトレイである。本発明の画像形成装置は側部にも排紙トレイ３１を設け、画像形成済みの記録用紙をフェイスアップで受取る。搬送方向切換えガイド３２は画像形成済みの記録用紙を排紙トレイ２９または３１に切換えるものである。搬送方向切換えガイド３２は側面カバー３３に回転可能に設けられており、実線で示す位置から破線で示す位置に回転することにより、用紙排出搬送路２２ｂの途中から記録用紙の搬出経路を切換え、排紙トレイ３１に記録用紙を排出する。また搬送方向切換えガイド３２が実線で示す位置にある場合は、記録用紙は用紙排出搬送路２２ｂを通り排紙トレイ２９に排出される。なおＳ字状の用紙搬送路２２に沿って随所に小型搬送ローラ３４ａ、３４ｂ、３４ｃ、３４ｄを配置し、記録用紙の搬送を促進し、補助する。
【００１７】
本発明の画像形成装置は以上のように構成されるので、カラー画像は以下のようにして形成される。
画像データが画像形成装置に入力されると、給紙トレイ２１からピックアップローラ２４が記録用紙を１枚呼び込み、用紙供給搬送路２２ａに送り出す。用紙供給搬送路１２ａの途中に備えられた搬送ローラ３４ｄが記録用紙の搬送を促進または補助し、レジストローラ２５まで送られる。レジストローラ２５は、感光体ドラム３に形成されるトナー像と感光体３の回転にタイミングを合わせるように記録用紙を搬送する。画像データに従い５連現像器は、それぞれイエロー（Ｙ）トナー、マゼンタ（Ｍ）トナー、シアン（Ｃ）トナー、ブラック（Ｋ）トナーに応じた４色の潜像と、本発明のための現像剤に応じた潜像を形成する。これら潜像を多重転写するように転写搬送ユニット６が記録用紙を搬送する。そして定着ユニット３３で熱定着され、用紙排出搬送路１２ｂにより排紙トレイ３４または３６に排出される。
より詳細に説明すると、感光体ドラム３は反時計回りに回転し、帯電器５が感光体ドラム３の全表面に一様な高マイナス電荷を帯電させる。露光ユニット１は画像データにしたがって感光体ドラム３の表面を露光し、低電位部を形成する。これにより一様な高マイナス電位部と、露光による低マイナス電位部からなる静電潜像が形成される。この静電潜像の低電位部に現像剤容器２のローラが現像剤を転位させて、感光体ドラム３の表面にトナー像を形成する。このようにして形成されたトナー像にタイミングを合わせるように、レジストローラ２５が記録用紙を搬送する。転写ローラ９が転写バイアス電源から転写電流を記録用紙に印加すると、この転写電流によってトナー像が転写される。
以上のような静電潜像の形成、トナー像の形成、転写が、イエロートナー、マゼンタトナー、シアントナー、ブラックトナーと、本発明のトナーについて繰り返され、５色が重ね合わされる。
【００１８】
本発明のために使用される現像剤は、蓄光トナー、蛍光トナー、透明トナー、白トナー、黒トナー、もしくはイエロートナー、マゼンタトナー、シアントナーなどのいずれか１つである。またはその他のトナーである。これら各トナーは公知のものであってもよく、例えば次のようなトナーである。
蓄光トナーは、蓄光物質とバインダ樹脂を主成分とするトナーである。蓄光物質は、ピーク波長が４５０ｎｍの青色発光するＣａＳｒＳ：Ｂｉ、ピーク波長が５３０ｎｍの黄緑色発光するＺｎＳ：Ｃｕ又はピーク波長が５３０ｎｍの黄緑色発光するＺｎＳ：Ｃｕ，Ｃｏのような硫化物系蓄光物質である。またはピーク波長が４４０ｎｍの紫青色発光するＣａＡｌ2Ｏ4：Ｅｕ，Ｎｄ、ピーク波長が４９０ｎｍの青色発光するＳｒ4Ａｌ14Ｏ25：Ｅｕ，Ｄｙ又はピーク波長が６２５ｎｍの赤色発光するＹ2Ｏ2：Ｅｕ，Ｍｇ，Ｔｉのような酸化物系系蓄光物質である。この他にアルミン酸塩化合物を主成分に希土類元素の賦活剤を添加焼成した酸化物蓄光物質であってもよい。バインダ樹脂はポリエステル、ポリエチレン、ポリスチレン、など透明樹脂である。これらは２種以上混合してもよい。
【００１９】
蓄光トナーの詳細は、次の通りである。
ポリエステル樹脂（酸価２０、水酸基価１７、三洋化成工業（株）製）：１００部
負荷電制御剤（商品名：Aizen Spilon Black TRH、保土ヶ谷化学工業（株）製）：１．５重量部
着色剤（蓄光剤）（商品名：ＢＧ−３００Ｍ、根本特殊化学（株）製）：重量１０部
ポリプロピレン（ビスコール５５０Ｐ  三洋化成工業（株）製）：６重量部
上記の材料を二軸押出機で溶融混練し、混練物を、冷却粉砕し、平均粒径６．７μｍのトナー粒子を得た。上記トナー粒子１００重量部に、疎水性シリカ（商品名：Ｒ９７６Ｓ、日本アエロジル（株）製）：２．８重量部を添加混合し蓄光トナーを得た。
【００２０】
蓄光トナーは、複写画像または印刷画像に部分的に画像形成することにより、蓄光部分を形成することができる。また蓄光トナーを全面的または部分的形成することによりオリジナルの複写画像、印刷画像であることを明確にすることができ、セキュリティ機能を高くすることができる。
【００２１】
蛍光トナーは、ナフタルイミド系、ベリレン系染料などの有機染料（有機蛍光物質）とポリエステル樹脂をバインダ樹脂とするものである。この蛍光トナーは例えば３６５ｎｍの紫外線照射により４３０ｎｍにピークをもつ可視光、あるいは５３０ｎｍにピークをもつ可視光を発光する。蛍光トナーは、複写画像または印刷画像に部分的に蛍光部分を形成することができる。また蛍光トナーを全面的または部分的形成することによりオリジナルの複写画像、印刷画像を明確にすることができ、セキュリティ機能を高くすることができる。
透明トナーはポリエステル類またはスチレン系共重合体のような熱可塑性樹脂が使用される。透明トナーは磁性粒子（キャリア）と組合せて二成分現像剤であってもよく、一成分現像剤であってもよい。透明トナーを使用して、複写画像または印刷画像の全表面に形成すると、光沢仕上げすることができる。また透明トナーを全面的または部分的形成することによりオリジナルの複写画像、印刷画像であることを明確にすることができる。
透明トナーの詳細は、前記蓄光トナーの詳細において、着色剤を用いないこと以外は同じにして得ることができる。
上記蓄光トナー、蛍光トナー、透明トナーはその用途と必要に応じて、例えば難燃剤、光沢剤、防水剤、撥水剤、表面改質剤、離型剤、界面活性剤、分散剤、帯電制御剤を添加してもよい。
【００２２】
また白トナーは上記蓄光トナー中の着色剤を酸化チタンのような白色剤を用いることにより得ることができる。白トナーを使用することにより、複写画像または印刷画像にハイライト部分を形成することができる。また白トナー全面的または部分的形成することによりオリジナルの複写画像、印刷画像であることを明確にすることができる。
白トナーの詳細は、前記蓄光トナーの詳細において、着色剤にSTR-60C-LP    堺化学工業（株）製：１０重量部を用いたこと以外は同じにして得ることができる。
また黒トナーを使用することにより、複写画像または印刷画像のコントラストを高くし、縁取りを形成することができる。また黒トナーは、画像形成装置の予備の黒トナーとして使用することができる。更に本発明は、イエロートナー、マゼンタトナーまたはシアントナーを装着すると、画像形成装置の予備トナーとして使用することができる。従って複写する画像または印字する画像に応じて、イエロートナー、マゼンタトナー、シアントナーまたは黒トナーを予備に装着することができる。
【００２３】
本発明の他の実施形態では、次のようにして現像剤容器に収納している現像剤の情報を画像形成装置に通知する。
現像剤容器２ｅに情報記憶部４１を形成し、この情報記憶部４１に現像剤に関する情報を記憶させる。例えば、現像剤容器にＩＣチップまたはＩＣタグを埋め込むことによって情報記憶部４１を構成する。またはＩＣチップまたはＩＣタグを、現像剤容器の内側に貼り付けまたは樹脂モールドして情報記憶部４１を形成する。このＩＣチップまたはＩＣタグに現像剤容器に収納した現像剤に係わる情報を記憶させる。他方画像形成装置が現像剤容器２ｅを装着する近傍に、例えば第２の装着部に微弱電波または赤外線送受信機を内蔵し、情報取得部４２を形成する。
これにより、現像剤容器２ｅが画像形成装置に装着されるとき、または装着後、現像剤容器２ｅの情報記憶部４１と、画像形成装置の微弱電波または赤外線送受信機４２は微弱電波又は赤外線により無線通信し、現像剤容器に収納されている現像剤に関する情報を画像形成装置に通知することができる。
【００２４】
または現像剤容器２ｅの表面に印刷するバーコードまたは２次元コードによって情報記憶部４１を形成し、現像剤容器２ｅに収納した現像剤に係わる情報を記録する。他方画像形成装置が現像剤容器２ｅに接近する箇所にバーコードあるいは２次元コードを読み取るバーコードリーダを内蔵し、情報取得部４２を形成する。これにより現像剤容器２ｅが画像形成装置に装着されるとき、または装着後、現像剤容器２ｅに印刷したバーコードまたは２次元コードを光を使用して読み取り、現像剤容器２ｅに収納された現像剤に関わる情報を取得することができる。
あるいは現像剤用器２ｅの表面に塗布形成した磁気記録部によって情報記憶部４１を形成し、現像剤に係わる情報を記録する。他方画像形成装置が現像剤容器２ｅに接近する箇所に磁気記録再生部を内蔵し、情報取得部４２を構成する。この構成により磁気を使用して画像形成装置は現像剤容器２ｅに収納された現像剤に係わる情報を取得することができる。
このように画像形成装置が現像剤容器２ｅに収納された現像剤に係わる情報を取得することにより、画像形成装置は第２の装着部に装着された現像剤を認識し、画像形成装置はこの認識に対応して画像処理を設定する。一方ユーザは希望する現像剤を画像形成装置の入力部より入力する。これより画像形成装置は、ユーザが希望する現像剤と、画像形成装置が認識した現像剤が一致したときは、画像形成装置は正常動作し現像処理する。しかしユーザが希望する現像剤と異なる現像剤容器が装着されたときは、画像形成装置の動作を停止させる。そしてユーザが希望する現像剤が装着されていないことを表示部に表示する。
【００２５】
動作を停止させる態様には、画像形成装置の全ての動作を停止させる場合、本発明の現像器のみを動作停止させ、その他の部分は通常通り動作させる場合がある。画像形成装置を全て動作停止させる場合は、ユーザが予め設定した現像剤と、装着された現像剤が異なるために、画像形成装置が故障するのを防止することができる。本発明の現像器のみを動作停止させ、その他の部分は通常通り動作させる場合は、ユーザの希望通りではないが、通常のカラー画像またはモノクロ画像を複写または印刷することができる。また本発明の現像器の動作を停止させる態様には、ＥＬ、ＬＥＤまたはレーザに書き込み信号を入力しない場合、感光体に所定の帯電をさせない場合のように感光動作をさせる場合がある。あるいは現像剤容器から現像剤が流出しないように制御する場合、トナー像が記録用紙に転写されないように制御する場合などが考えられる。
【００２６】
以上に説明した実施形態は、本発明のための第２の現像器が１つであるが、本発明のための第２の現像器は２つ以上であってもよい。例えば、白トナーによりハイライト処理し、または透明トナーにより光沢仕上げ処理し、その後、蓄光トナーや蛍光トナーによりセキュリティ機能を付与させてもよい。
また本発明は、モノクロ画像形成装置にも適用することが可能であり、その場合、モノクロ画像形成装置が本来備える黒色トナーと、本発明のために少なくとも蓄光トナー、蛍光トナー、透明トナー、白トナー、黒トナー、イエロートナー、マゼンタトナーまたはシアントナーの１つを備える。
また上記実施形態の画像形成装置は複写機、プリンター、ファクシミリであってもよく、また複写または印刷のために電子写真方式、インクジェット噴射方式であってもよい。
また本発明のための第２の装着部は、画像形成装置が本来備える第１の現像器を装着する第１の装着部の下流側に配置したが、これは第２の装着部が画像形成の仕上げ処理であるためであり、下地処理の場合は、上流側に配置してもよく、またイエロートナー、マゼンタトナー、シアントナー、ブラックトナーの予備トナーである場合は、第１装着部の中に配置してもよい。また中間転写方式の場合は、本発明の第２の装着部は、第１の装着部より上流側または第１装着部の中に配置してもよい。
【図面の簡単な説明】
【００２７】
【図１】画像形成装置の構成図を示す。
【符号の説明】
【００２８】
１    露光ユニット
２    現像剤容器
３    感光体ドラム
６    転写ベルトユニット
８    転写ベルト
９    転写ローラ
２８  定着部
２９  フェイスダウン排紙トレイ
３１  フェイスアップ排紙トレイ
４１  現像剤情報記憶部
４２  情報取得部
【図１】
2007057703.tif 000003